(57)【特許請求の範囲】
【請求項１】
底部壁に排水短管を備えた洗い流し器の外容器と、この洗い流し器の外容器の内部の所定の低い位置に、該洗い流し器の外容器の側壁の高さよりも低く、また、該洗い流し器の外容器の容量よりも小容量の洗い流し器の内容器を固定設置すると共に、洗面所等の水道の蛇口の栓を開いて水道水を洗い流し器の内容器に注ぎ込みながら該洗い流し器の内容器内で使用して墨液等がついた筆の穂を洗ったときに、この筆の穂を洗った水は該洗い流し器の内容器の上部口縁から流出して前記洗い流し器の外容器内に一時的に溜り、さらに、この洗い流し器の外容器の排水短管から順次排出するようにしたことを特徴とする筆洗い器。
【請求項２】
洗い流し器の内容器を洗い流し器の外容器の内部の所定の低い位置に着脱自在に設置したことを特徴とする請求項１記載の筆洗い器。
【請求項３】
洗い流し器の外容器の底部壁に設けた排出短管を保護し、そして該洗い流し器の外容器を着座させる保持器を該洗い流し器の外容器の底部に着脱自在に設置したことを特徴とする請求項１、又は２記載の筆洗い器。
【請求項４】
コの字形取手を、保持器の側壁に着脱自在に、しかも洗い流し器の外容器を跨ぐように取付けたことを特徴とする請求項３記載の筆洗い器。
【請求項５】
筆立台を洗い流し器の外容器の側壁の外側に着脱自在に取付けたことを特徴とする請求項３，又は４記載の筆洗い器。
【発明の詳細な説明】
【０００１】
【発明の属する技術分野】
本発明は、獣毛等を束ねて穂にした毛筆等の筆洗い器に関するものである。
【０００２】
【従来の技術】
毛筆等の筆は獣毛等を束ねて穂にしたものを適宜長さの細い竹軸等の先端部に固着したものである。
穂は布海苔等で固めた固め筆と、捌いたままの捌き筆とがある。
布海苔等で固めた固め筆は、使用時、穂の使用する範囲を決めて布海苔等を溶かしてその部分まで毛筆を捌けた状態にする。
固め筆、捌き筆のいずれでも筆を使用した後はそのまま放置しないで水でよく洗うことが重要である。
筆を水でよく洗うことにより、毛が折れにくくなり筆を長期間使用することが可能となると共に、使用した筆の穂先が常に使用初期の状態に戻り、また筆を前回と同様に正しく使用することができるからである。
筆を使用後にそのままに放置した場合、墨液に含まれている膠等が穂に溜まったままで乾燥する。次回にこの筆を使用するとき、このような膠等で固まった穂を硯の墨液に漬けながら硯の陸地の上に載せ墨棒でほぐしてゆく。このときに穂先の毛が痛んだり、あるいは徐々に折れてしまい筆が徐々にダメになる。
従って、筆を使用した後、筆を水でよく洗うことが筆を長持ちさせる方法である。
【０００３】
筆を水道水で洗浄するようにした「筆洗い器」は従来技術として既に存在する。
例えば、特開平７−８１２９１号公報(公開日：平成７年3月28日)には、注水部１０と排水部４ａ、４ｂとを設けた水槽３に、筆の穂先を下向きにして支持すると共に、穂の根元は水槽３内に注入される水道水に漬けることがないようにした支持部８を設け、そして、この支持部８の上部を除く周壁には多数の開口９を形成することにより、前記注水部１０から流入してきたきれいな水道水はこの開口９から支持部８内に進入し、そして、支持部８内にある墨液等により汚れた穂先内に進入し、洗浄する。そして、水槽３内に注入されたきれいな水道水は、穂先内に進入し、その部分を洗浄することにより墨液等で汚れた水となり、この汚れた水は排出部4a、４ｂ側にある支持部８の開口９から流出し、排出部４ａ、４ｂの方に流れて行くようにされた「筆洗い器」が記載されている。
【０００４】
また、実用新案登録第３０７３４９４号公報(公報発行日：平成12年11月30日)には、バケツ等の容器１の底部２に一定長さの管７を挿通させ、この一定長さの管７は、バケツ等の容器１内の所定の高さにおいて排水口管器内口５となるように排出口管器内突出部３として設けられる共に、また、バケツ等の容器１の底部の外の所定の位置において排水口管器外口６となるように排出口管器外突出部４として設けられるようにされた「筆洗い器」が記載されている。
そして、バケツ等の容器１内において排水口管器内口５を所定の高さに設けることにより、バケツ等の容器１内に連続して注がれる水道水は器内に一定水位を維持して溜まることとなり、この溜り水により墨液で汚れた筆の揉み洗い、あるいは墨液で汚れた筆の振り洗いを行おうとするものである。
なお、排出口管器外突出部４は洗場等の下水への口に挿入するようにされる。
【０００５】
【発明が解決しようとする課題】
しかしながら、上記の特開平７−８１２９１号公報(公開日：平成７年3月28日)に記載されている「筆洗い器」は、上部を除くほぼ全部の周壁に多数の開口９を形成した支持部８の内側に筆の穂先を下向きに挿入して筆を支持するようにすると共に、注水部１０から流入してきたきれいな水道水は前記開口９から支持部８内に進入し、そして、支持部８内にある墨液により汚れた筆の穂内に進入し、洗浄する。そして、水槽３内に注入されたきれいな水道水は、穂内に進入し、その部分を洗浄することにより墨液で汚れた水となり、この汚れた水は排出部4a、４ｂ側にある支持部８の開口９から流出し、排出部４ａ、４ｂの方に流れて行くというものである。
墨液により汚れた筆の穂は支持部８内にあり、墨液により汚れた筆の穂の大部分は支持部８の円錐壁によりガードされているので、長時間にわたりきれいな水道水を注入して、墨液により汚れた穂の内部に進入・通過をさせても筆の穂の中心部分まではなかなかきれいにならないという問題がある。
筆の穂の中心部分まで墨液による汚れをなくするようにするためには水道水を長時間にわたり注入する必要がある。
この「筆洗い器」により一本の筆の穂をきれいにするためには多量の水道水を使用するという問題がある。
【０００６】
また、上記の実用新案登録第３０７３４９４号公報(公報発行日：平成12年11月30日)に記載されている「筆洗い器」は、バケツ等の容器１内に連続して注がれる水道水はバケツ等の容器１内に一定水位に溜まることになる。
この一定水位溜まった水により使用して墨液で汚れた筆を揉み洗いしたり、あるいは墨液で汚れた筆を振り洗いを行おうとするものである。
連続して注がれ水道水と、筆の揉み洗いあるいは筆の振り洗いによって黒く汚れた水とが一つのバケツ等の容器１内に混在することになり、バケツ等の容器１内の水の全てが透明できれいな水になるのにはかなりの時間を要することになる。
この「筆洗い器」により一本の筆の穂をきれいにするためには多量の水道水が必要になるという問題がある。
【０００７】
本発明は、上記従来技術の問題点に着目し、使用して墨液等で汚れた筆の穂の中心部分までもきれいに洗うことが可能であり、しかも、この筆の穂の洗いには多量の水道水が必要とならない筆洗い器を提供することを目的としている。
【０００８】
【課題を解決するための手段】
この課題を解決するために第１の発明は、底部壁に排水短管を備えた洗い流し器の外容器と、この洗い流し器の外容器の内部の所定の低い位置に、該洗い流し器の外容器の側壁の高さよりも低く、また、該洗い流し器の外容器の容量よりも小容量の洗い流し器の内容器を固定設置すると共に、洗面所等の水道の蛇口の栓を開いて水道水を洗い流し器の内容器に注ぎ込みながら該洗い流し器の内容器内で使用して墨液等がついた筆の穂を洗ったときに、この筆の穂を洗った水は該洗い流し器の内容器の上部口縁から流出して前記洗い流し器の外容器内に一時的に溜り、さらに、この洗い流し器の外容器の排水短管から順次排出するようにしたことを特徴としている。
【０００９】
第１の発明を主体とする第２の発明は、洗い流し器の内容器を洗い流し器の外容器の内部の所定の低い位置に着脱自在に設置したことを特徴としている。
【００１０】
第１の発明、又は第２の発明を主体とする第３の発明は、洗い流し器の外容器の底部壁に設けた排出短管を保護し、そして該洗い流し器の外容器を着座させる保持器を該洗い流し器の外容器の底部に着脱自在に設置したことを特徴としている。
【００１１】
第３の発明を主体とする第４の発明は、コの字形取手を、保持器の側壁に着脱自在に、しかも洗い流し器の外容器を跨ぐように取付けたことを特徴としている。
【００１２】
第３の発明、又は第４の発明を主体とする第５の発明は、筆立台を洗い流し器の外容器の側壁の外側に着脱自在に取付けたことを特徴としている。
【００１３】
【作用効果】
本発明の第１の実施の形態に係る筆洗い器は、底部壁に排水短管を備えた洗い流し器の外容器と、この洗い流し器の外容器の内部の所定の低い位置に、該洗い流し器の外容器の側壁の高さよりも低く、また、該洗い流し器の外容器の容量よりも小容量の洗い流し器の内容器を固定設置するようにしているので、洗面所等の水道の蛇口の栓を開いて水道水を洗い流し器の内容器に注ぎ込みながら該洗い流し器の内容器内で使用して墨液等がついた筆の穂を左右に振り洗い、あるいは上下にお祭り洗いをするこにより筆の穂の毛は中心部まで開いたり閉じたりするので、使用して墨液等で汚れた筆の穂は1分も経過しないうちにきれいになる。
【００１４】
使用して墨液等で汚れた筆の穂がきれいになったかを確認するには洗い流し器の内容器内に注がれる水道水が透明できれいになったかを目で見て確認する。
洗い流し器の内容器と外容器の両者を透明な合成樹脂材により形成することにより、内容器内に注がれる水道水が透明できれいになったことを簡単に目で見て確認できる。
洗い流し器の内容器内に注がれる水道水が内容器内で透明できれいになったら水道水の注入は直ちに中止することになる。
比較的小容量の洗い流し器の内容器内に多少の勢いをもって注入される水道水の流れの中で汚れた筆の穂を上下、あるいは左右に多少振って洗うので、筆の穂の毛は開いたり閉じたりすることになり、筆の穂の中心部まで1分も経過しない内にきれいになる。
従って、本発明に係る筆洗い器により、一本の筆を洗うための水道水の量は極めて少量で済む。
【００１５】
筆の穂を洗ったあと、墨液等で汚れた水は洗い流し器の内容器の上部口縁から流出して、洗い流し器の外容器内に一時的に溜り、さらに、この洗い流し器の外容器の排水短管から順次排出して行く。
そして、洗い流し器の外容器の排水短管は洗面所等の流し器の排水管内に挿入されているので、洗面所等の流し器内面等が排出される墨液等で汚されるようなことはない。
また、洗い流し器の外容器は洗い流し器の内容器の高さよりも高く形成されているので、洗い流し器の内容器内で墨液等で汚れた筆の穂を洗っているときにこの墨液等が飛び散っても洗い流し器の外容器内に落ちることになり、洗面所等の流し器内面や洗う人の衣服を汚すことはない。
【００１６】
本発明の第２の実施の形態に係る筆洗い器は、洗い流し器の内容器を洗い流し器の外容器の内部の所定の低い位置に着脱自在に設置するものである。
墨液等がついた筆の穂を洗うことだけを考えるときには洗い流し器の内容器は洗い流し器の外容器の内部壁に一体的に固定されていても何ら問題がない。
しかしながら、洗い流し器の内容器と洗い流し器の外容器を使用して墨液等がついた筆の穂を洗ったあとこれらの洗い流し器の内容器と洗い流し器の外容器自体をよくきれに洗浄しておかないと、次にまた洗い流し器の内容器と洗い流し器の外容器を使用して墨液等がついた筆の穂を洗浄するとき、筆の穂がきれいになるまでに時間が少し余分に掛かったりすることが起きる。
従って、洗い流し器の内容器を洗い流し器の外容器から取外すことが出来るようにしておけば、使用後に洗い流し器の内容器と洗い流し器の外容器の両者をよく洗浄することができ、上記のような事態が起こりにくくなる。
【００１７】
本発明の第３の実施の形態に係る筆洗い器は、洗い流し器の外容器の底部壁に設けた排出短管を保護し、そして洗い流し器の外容器を着座させる保持器を洗い流し器の外容器の底部に着脱自在に設置したものである。
洗い流し器の外容器の底部壁には排出短管が形成してあるので、この洗い流し器の外容器を台の上に置いた場合、洗い流し器の外容器は傾いてしまう。
台の上に置かれている流し器の外容器が傾いていると見映えもよくないし、載せる台がなめらかで、少し傾斜しているようなときには、流し器の外容器が台からすべり落ちるようなことが起こり、いろいろと不都合である。
また、流し器の外容器の底部壁に形成した排出短管の部分は、落下したり、あるいは物に当たりしたときに壊れるようなことも起きる。
このような事態を防ぐために洗い流し器の外容器を着座させる保持器を洗い流し器の外容器の底部に着脱自在に設置したものである。
【００１８】
本発明の第４の実施の形態に係る筆洗い器は、コの字形取手を、保持器の側壁に着脱自在に、しかも洗い流し器の外容器を跨ぐように取付けたものである。
墨液等がついた筆の穂を洗浄するとき、両手で洗い流し器の外容器が着座させてある保持器を洗面所があるところまで持って行ってもよいが、保持器の側壁に取手を取付けることにより、洗い流し器の外容器の持ち運びが一層楽になる。
取手はコの字形に形成し、保持器の側壁に着脱自在に、しかも洗い流し器の外容器を跨ぐように取付ける。
この構成により、上部水平部の所定の位置に複数の大きさの異なる筆挿入穴を設けることができ、この筆挿入穴に、筆の穂が下になるように筆の軸を挿入して、筆の穂が洗い流し器の外容器の内部に設置されている洗い流し器の内容器内の水の中に吊すことができるようにする。
布海苔等で固められている新品の筆を水に長時間漬けて布海苔等を溶かして筆の穂を使用出きるようにするときとか、あるいは筆の穂の使用部分を増やすために布海苔等で固められている部分を水に長時間漬けて布海苔等を溶かして筆の穂の使用部分を増やして使用したいときにこの筆挿入穴を利用する。
筆挿入穴を設ける位置は、この筆挿入穴を使用して筆の穂を下にして筆を吊したときに、洗い流し器の外容器の内部に設置されている洗い流し器の内容器に溜めてある水の中に筆の穂が漬かるようにすることができる位置である。
筆洗い器の全体を分解掃除するとき、コの字形取手は保持器の側壁に着脱自在に取付けるようにするのがよい。
【００１９】
本発明の第５の実施の形態に係る筆洗い器は、筆立台を洗い流し器の外容器の側壁の外側に着脱自在に取付けたものである。
筆を使用するとき一本だけでなく大小複数本の筆を使用する場合が多い。
使用した後の墨液等で汚れた筆はよく洗っておく必要がある。
複数本の筆を洗い、そしてその筆を元あった場所に戻すときになどには筆立台があると便利である。
ロの字形の筆立台の水平頂部壁に複数の筆立用の穴を形成してこの穴に筆の穂を上にして筆の軸の部分を挿入して筆を立てるようにする。
筆立台の水平頂部壁に形成した複数の筆立用の穴は例えば、大、中、小とその穴の大きさを形成することにより、筆軸の直径の大きさの異なった筆を立てることができる。
筆立台の水平頂部壁に筆立台取付用の掛止めフックを形成し、この掛止めフックを洗い流し器の外容器の側壁の外側の上部に着脱自在に取付けることにより、洗い流し器の外容器を着座せしめている保持器に取付けらるれている取手を持ってこれらのものと一緒にこれから洗う筆、あるいは洗った後のきれいな筆を洗面所、あるいは所定の筆を置くところまで運ぶことができる。
【００２０】
【発明の実施の形態】
以下において図１〜図１１に示された筆洗い器の部品の種々の構造と機能を説明した後で、本発明の第１の実施の形態から第５の実施の形態に係る筆洗い器について説明を行うことにする。
まず、最初に図１について説明する。
図１は本発明に係る筆洗い器の全部品を組立てて、筆洗い器全体を示す斜視図である。
洗い流し器の内容器１００は洗い流し器の外容器２００の内部の所定の低い位置のあるように底部壁等に固定して設置するか、あるいは着脱自在に設置する。
図１に示されたものは、洗い流し器の内容器１００が洗い流し器の外容器２００の内部の底部壁等に着脱自在に設置しているものである。
洗い流し器の内容器１００、及び洗い流し器の外容器２００は、まず、洗い流し器の内容器１００内に水道水を注入してこの中で墨液等で汚れた筆の穂を洗うところである。
そして、洗い流し器の外容器２００は、墨液等で汚れた筆の穂を洗い流し器の内容器１００内で洗い、そして、該内容器１００の上部口縁からあふれ出た黒い墨等の水を一定水位に溜めて、洗い流し器の外容器２００の底部壁に設けた排出短管から順次排出するものである。
【００２１】
洗い流し器の外容器２００の底部壁に設けた排出短管を保護し、そして、この洗い流し器の外容器２００を着座させる保持器３００を洗い流し器の外容器２００の底部に着脱自在に設置する。
保持器３００により洗い流し器の外容器２００は傾むかないで、平行に着座することが出きると共に、洗い流し器の外容器２００の底部壁に設けた排出短管を保護することができる。
上記保持器３００の側壁にコの字形取手４００を着脱自在に、しかも洗い流し器の外容器２００を跨ぐように取付ける。
このコの字形取手４００を取付けるにより洗い流し器の外容器２００、保持器３００、洗い流し器の外容器２００の内部に設置した洗い流し器の内容器１００、そして更には後述する筆立台５００も一緒に洗面所等の場所に移動することが出きる。
そしてコの字形取手４００の上部水平部の所定の位置には、筆の穂先を下向きにして筆を吊すときの複数の大きさの異なる挿入穴が設けてある。
上記の洗い流し器の外容器２００の側壁の外側にはロの字形の筆立台５００を掛止めフック等により着脱自在に取付ける。
ロの字形の筆立台５００の水平頂部壁には複数の筆立用の穴を形成してこの穴に筆の穂を上にして軸の部分を挿入して筆を立てるようにする。
複数の筆を洗うときに筆立台５００があると便利である。
【００２２】
次に図２，図３、図４について説明する。
図２は本発明に係る筆洗い器の全部品を組立てて、洗い流し器の外容器の長辺の側壁側から見た洗い流し器の断面図を主体とする側面全体図である。
図３は本発明に係る筆洗い器の全部品を組立てて、洗い流し器の外容器の短辺の側壁側から見た洗い流し器の断面図を主体とする側面全体図である。
図４は本発明に係る筆洗い器の全部品を組立てて、筆洗い器全体を上から見た平面図である。
図２と図３において、洗い流し器の内容器１００と洗い流し器の外容器２００は、断面図で示されており、図２は洗い流し器の外容器の長辺の側壁側から見た洗い流し器の断面図であり、図３は洗い流し器の外容器の短辺の側壁側から見た洗い流し器の断面図である。
洗い流し器の内容器１００は、円筒壁１、上部円形口縁２、底部壁３、及び内容器の底部壁の外側に形成した結合突起４とで形成される。
底部壁３は上方に向かってなだらかな円錐形状にする。底部壁３を上方に向かってなだらかな円錐形状に形成することにより、蛇口から内容器の中央部の円錐形状に注入される水道水は、なだらかな円錐形状に形成された底部壁３に衝突した後、水道水は反転して上方に向きを変え、円筒状の上方流れが作られる。
墨液等で汚れた筆の穂は水道の蛇口から内容器１００に注入される水とか、上記の上方流れといった各種の水流により極めて短時間で汚れが落ちるようになる。
【００２３】
洗い流し器の外容器２００は角部が円弧状にされ、長辺の側壁５、短辺の側壁６、底部壁９、上部に方形口縁７、底部壁９の内側壁に設けた結合突起部の受穴部８、及び、底部壁に設けた排出短管１０とで形成され、特に外容器２００の底部壁９は排出短管１０の開口に向かって水が流れるように傾斜されている。
このように底部壁９が排出短管１０の開口に向かって傾斜されていることにより、外容器２００内の墨液等によって汚された水は排出短管１０残らず排出される。
図２，図３、図４においては、洗い流し器の内容器１００は洗い流し器の外容器２００の底部壁９の内側壁に設けた結合突起部の受穴部８に洗い流し器の内容器１００の底部壁の外側に形成した結合突起４を嵌合することにより一体にされる。
すなわち、洗い流し器の内容器１００は洗い流し器の外容器２００に着脱自在に設置されている。
洗い流し器の内容器１００を洗い流し器の外容器２００から取外すことができるようにすることにより、使用後これらのものをそれぞれきれいに洗浄することができ、次の使用に備えることができる。
しかしながら、簡単な構造として洗い流し器の内容器１００を洗い流し器の外容器２００の内部に一体的に固設してもよい。
洗い流し器の内容器１００を洗い流し器の外容器２００内部の所定の低い位置に一体的に固設しても使用後これらのものをきれいに洗浄することができるような構造にすることが重要である。
また、図２，図３、図４においては、洗い流し器の内容器１００は洗い流し器の外容器２００内の短辺の側壁側の底部壁９の中央部分に設置しているが、これを外容器２００内の長辺の側壁側の底部壁９の中央部分に設置してもよい。
そしてまた、図２，図３、図４においては、洗い流し器の内容器１００は円筒形状のものであるが方形の内容器１００であってもよい。
【００２４】
洗い流し器の外容器２００はその底部を保持器３００に着座できるようにされている。
保持器３００は長辺の側壁１１、短辺の側壁１２、底部壁１５で形成される。
保持器３００の上部方形開口１３は洗い流し器の外容器２００の底部が着座できるようにそれと同様な寸法と形状を有している。
また、洗い流し器の外容器２００の傾斜する底部壁９に合致する傾斜部１４が形成されている。
保持器３００の短辺の両側壁１２にはコの字形取手４００を着脱自在に取付けるための取手取付用突起１６が形成されている。
コの字形取手４００はコの字形取手の立ち上がり部１７、コの字形取手の上部水平部１８、コの字形取手の立ち上がり部の根元に形成した左右に伸びる取手取付片１９、取手取付用突起１６を挿入する段差円形穴２０、上部水平部に形成した径の異なる筆挿入穴２１，２２等で構成されている。
径の異なる筆挿入穴２１，２２を使用して筆の穂先を下向きにして筆を吊す。
このとき筆の穂先は丁度洗い器の内容器の水に漬けられるような位置に筆挿入穴２１，２２を形成する。
保持器３００の短辺の両側壁１２に形成した取手取付用突起１６をコの字形取手４００段差円形穴２０に挿入し、突起の軸を段差円形穴２０の小径の方で保持させることにより、コの字形取手４００は洗い流し器の外容器２００を跨いで取付けられることになる。
【００２５】
５００は筆洗い器のロの字形の筆立台である。
ロの字形の筆立台５００は直立壁２３，底部壁２４、水平頂部壁２５、筆立て台取付用の着脱自在の掛け止めフック２６、及び水平頂部壁に設けた複数の筆立用の穴２７，２８，２９等で構成されている。
筆立台５００の水平頂部壁には径の異なる複数の筆立用の穴を形成してこの穴に筆の穂を上にして軸の部分を挿入して筆を立てるようにする。
筆立用の穴２７，２８，２９は大、中、小の直径の異なる穴にするのがよい。
複数の筆を洗うときにこの筆立台５００があると筆の持ち運びに便利である。
以上、図２、図３、図４を使用して本発明に係る筆洗い器の全部品について説明したが、これらの部品は透明の合成樹脂材で形成するのが一番好ましい。
【００２６】
次に図５，図６、図７、図８，図９、図１０、及び図１１を使用して本発明に係る筆洗い器について説明する。
これらの図面を使用しての説明は上記の図４までの説明となるべく重複しないようにすると共に、重複するようなところがある場合はなるべくその部分は簡単に説明することにする。
図５は本発明に係る筆洗い器の洗い流し器の内容器の投影図である。
図６は本発明に係る筆洗い器の洗い流し器の外容器の投影図である。
図７は本発明に係る筆洗い器の洗い流し器の断面図である。
図８は本発明に係る筆洗い器の保持器の投影図である。
図９は本発明に係る筆洗い器の取手の投影図である。
図１０は本発明に係る筆洗い器の筆立台の投影図である。
図１１は本発明に係る筆洗い器の洗い流し器を洗面所の流し器にセットしたときの説明図である。
【００２７】
まず、図５について説明する。１００は洗い流し器の内容器である。
洗い流し器の内容器１００は円筒壁１、上部円形口縁２、底部壁３、及び内容器の底部壁の外側に形成した結合突起４とで形成され、底部壁３は上方に向かってなだらかな円錐状に形成する。
必ずしも底部壁３は上方に向かってなだらかな円錐状に形成する必要はなく、平らであっても筆洗いの容器として充分使用することができる。
円筒形状の洗い流し器の内容器１００の高さｈ１は後述する洗い流し器２００の高さｚ２よりも低くすることが重要である。またその直径ｄ１も後述する洗い流し器２００内の短辺の側壁間の距離のせいぜい７５％以内程度の長さ直径にすることが必要である。
また、洗い流し器の内容器１００は円筒形である必要はなく方形であってもよい。
【００２８】
次に図６について説明する。２００は洗い流し器の外容器である。
洗い流し器の外容器２００はその角部が円弧状にされ、長辺の側壁５、短辺の側壁６、底部壁９、上部に方形口縁７、底部壁９の内側壁に設けた結合突起部の受穴部８、及び、底部壁に設けた排出短管１０とで形成され、特に外容器２００の底部壁９は排出短管１０の開口に向かって水が流れるように少々傾斜されている。
底部壁９は、必ずしも排出短管１０の開口に向かって少々傾斜されている必要はなく、平らなものでも充分使用することができる。
洗い流し器の外容器２００の長辺の側壁５の長さｗ２、短辺の側壁６の長さｙ２は筆洗いを行う洗面所等の流し器の内面の形状とその長さに影響される。
洗面所の流し器は種々の大きさと形状が売り出されているが、高価で、大きい洗面所の流し器でなく、一般的にどこでも使用されていると思われる洗面所の流し器の内面に置くことのできる長さで外容器２００の長辺の側壁５の長さｗ２と、及び短辺の側壁６の長さｙ２を作成するのがよい。
また、洗い流し器の外容器２００の長辺の側壁５と、短辺の側壁６の高さｚ２は洗面所の水道の蛇口の高さに影響され、むやみに高くすることは出来ない。
洗い流し器の外容器２００の長辺の側壁５と、短辺の側壁６の高さｚ２は水道の蛇口の先端に当たらないような高さに形成する必要がある。
【００２９】
次に図７について説明する。
図７は洗い流し器の内容器１００を外容器２００の内部に設置した状態の断面図である。
洗い流し器の内容器１００は、円筒壁１、上部円形口縁２、底部壁３、及び内容器の底部壁の外側に形成した結合突起４とで形成される。
底部壁３は上方に向かってなだらかな円錐形状にする。底部壁３を上方に向かってなだらかな円錐形状に形成することにより、蛇口から注入される水道水はこのなだらかな円錐形状に形成された底部壁３に衝突した後、水道水は反転して上方に向きを変え、円筒状の上方流れが作られる。
洗い流し器の内容器１００の内部には上記の円筒形の上方流れと、上方にある蛇口から注入される水道水の流れが墨液等で汚れた筆の穂に作用するので、墨液等で汚れた筆の穂は短時間の内に汚れが落ちるようになる。
また、洗い流し器の外容器２００は、角部が円弧状にされ、長辺の側壁５、短辺の側壁６、底部壁９、上部に方形口縁７、底部壁９の内側壁に設けた結合突起部の受穴部８、及び、底部壁９に設けた排出短管１０とで形成され、特に外容器２００の底部壁９は排出短管１０の開口に向かって水が流れるように傾斜されている。
【００３０】
図７に示す洗い流し器の内容器１００は内容器１００の底部壁３の外側に形成した結合突起４を洗い流し器の外容器２００の底部壁９の内側壁に設けた結合突起部の受穴部８に嵌合させることにより内容器１００を外容器２００の底部壁９の内側壁の所定の低い位置に着脱自在に設置している。
洗い流し器の内容器１００を洗い流し器の外容器２００の底部壁９の内側壁の所定の低い位置に着脱自在に設置する方法はこれだけでなく、例えば、流し器の内容器１００の円筒壁の外側にはオス型のレールを、流し器の外容器2００の内側の側壁５，６のいずれかにはメス型レールを形成することにより、上下方向に内容器１００をスライド移動して、内容器１００を外容器２００の内部の所定の低い位置に設置することができる。
この方法も洗い流し器の内容器１００を洗い流し器の外容器２００の内部の所定の低い位置に着脱自在に設置するやり方の1つである。
何故に洗い流し器の内容器１００を洗い流し器の外容器２００の内部の底部壁９の所定の低い位置に設置するかというと、底部壁９には排出短管１０の開口が形成されており、この開口を洗い流し器の内容器１００の底部壁部分等で塞ぐようなことが起きないようにするためである。このようにすれば、排出短管１０から筆の穂を洗浄したあとの汚れた水が円滑に排出して行けるからである。
図７に示した構造が筆洗い器の基本構造であり、付設する他の部品を全部除いたものである。
ところで、図７に示すものは洗い流し器の内容器１００を洗い流し器の外容器２００の内部の所定の低い位置に着脱自在に設置するものである。
しかしながら、簡単な構成として洗い流し器の内容器１００を洗い流し器の外容器２００の内部の所定の低い位置に一体的に固設するようにしてもよい。
洗い流し器の内容器１００を洗い流し器の外容器２００の内部に一体的に固設しても、使用後これらのものをきれいに洗浄することができるような構造にするのがよい。
【００３１】
次に図８について説明する。３００は筆洗い器の保持器である。
保持器３００は長辺の側壁１１、短辺の側壁１２、底部壁１５で形成される。
保持器３００の上部方形開口１３は洗い流し器の外容器２００の底部が着座できるようにそれと同様な寸法と形状をしている。
また、洗い流し器の外容器２００の傾斜する底部壁９に合致する傾斜部１４が保持器３００の上部方形開口１３形成されている。
保持器３００の短辺の両側壁１２にはコの字形取手４００を着脱自在に取付けるための取手取付用突起１６が形成されている。
保持器３００の長辺の側壁１１と短辺の側壁１２の高さｚ３はこの保持器３００にその下部が着座する洗い流し器の外容器２００の底部壁の外側に突出する排出短管１０に当たらない程度の高さがあればよい。
また、保持器３００は洗い流し器の外容器２００の底部を着座させる上部方形開口を形成する必要があるので保持器３００長辺の側壁１１の長さｗ３と、短辺の側壁１２の長さのｙ３は、洗い流し器の外容器２００の長辺の側壁５の長さｗ２、短辺の側壁６の長さｙ２より少し肉厚分だけ長くする必要がある。
【００３２】
次に図９について説明する。４００は筆洗い器のコの字形取手である。
コの字形取手４００は取手の立ち上がり部１７、取手の上部水平部１８、取手の立ち上がり部の根元に形成した左右に伸びる取手取付片１９、保持器３００の側壁１２に形成した取手取付用突起１６を挿入する大径とその下には小径の段差円形穴２０、上部水平部に形成した径の異なる筆挿入穴２１，２２等で構成されている。
なお、図８と図９において取手４００の取付けを保持器３００の両側壁１２に設けた取手取付け用突起１６とこの取手取付用突起１６を挿入する大径とその下の小径の段差円形穴２０とにより行っているが、これに限られるものではなく、一般的に使われているものであれば本筆洗い器においても使用できる。
【００３３】
そして、次に図１０について説明する。５００は筆洗い器のロの字形の筆立台である。ロの字形の筆立台５００は直立壁２３，底部壁２４、水平頂部壁２５、筆立て台取付用の着脱自在の掛け止めフック２６、及び水平頂部壁に設けた複数の筆立用の穴２７，２８，２９等で構成されている。
筆立用の穴２７，２８，２９は大、中、小の直径の異なる穴にするのがよい。なお、直立壁２３，底部壁２４、及び水平頂部壁２５は筆立用の穴２７，２８，２９を形成したり、また、筆の軸が当接したりするので適当に幅があった方がよい。
以上本発明に係る筆洗い器の全部品の構成を、図５〜図１０を用いて説明した。
【００３４】
次に図１１について説明する。図１１は本発明の係る筆洗い器の洗い流し器を洗面所の流し器にセットしたところを示している。
すなわち、水道の蛇口の栓を開いて水道水を洗い流し器の内容器１００の中に注入しながら、内容器１００の中に墨液等で汚れている筆の穂を上下にお祭りしたり、あるいは、左右に振ったりして筆の穂を洗うのである。
筆の穂は水流によって筆の穂の毛が開いたり、閉じたりするので筆の穂の中心部まで墨液等の汚れが洗い流される。
1分も経過しないうちに洗い流し器の内容器１００の中に注入している水が澄んでくるので、水が澄んできたら内容器１００への水道水の注入をやめればよいことになる。
内容器１００の中に墨液等で汚れている筆の穂を上下にお祭りしたり、あるいは、左右に振ったりして筆の穂を洗って行くうちに墨液で汚れた水は内容器１００の上部円形口縁から流出して、洗い流し器の外容器２００内に流れていく。
内容器１００への水道水の注入量にも影響されるが内容器１００の上部円形口縁から流出した墨液等で汚れている水は洗い流し器の外容器２００の中に一時的に溜まることになる。
洗い流し器の外容器２００の中に一時的に溜まった汚れた水は順次排水短管１０から排出する。
排出短管１０は、図１１で示すように洗面所の流し器の排水管の中に挿入するので、この部分から上の洗面所の流し器の内面を墨液等で汚すようなことは起こらない。
【００３５】
次に、本発明の第１の実施の形態から第５の実施の形態に係る筆洗い器について説明する。
本発明に係る筆洗い器の第１の実施の形態に係る筆洗い器は、底部壁に排水短管を備えた洗い流し器の外容器と、この洗い流し器の外容器の内部の所定の低い位置に、該洗い流し器の外容器の側壁の高さよりも低く、また、該洗い流し器の外容器の容量よりも小容量の洗い流し器の内容器を固定設置すると共に、洗面所等の水道の蛇口の栓を開いて水道水を洗い流し器の内容器に注ぎ込みながら該洗い流し器の内容器内で使用して墨液等がついた筆の穂を洗ったときに、この筆の穂を洗った水は該洗い流し器の内容器の上部口縁から流出して前記洗い流し器の外容器内に一時的に溜り、さらに、この洗い流し器の外容器の排水短管から順次排出するようにしたものである。
この本発明の第１の実施の形態に係る筆洗い器については、上記の段落番号（００２２）と段落番号（００２３）の図２，図３，図４の説明、段落番号（００２７）の図５の説明、段落番号（００２８）の図６の説明、段落番号（００２９）と段落番号（００３０）の図７の説明、及び段落番号（００３４）の図１１の説明等を参酌することにより明白となる。
【００３６】
次に本発明の第２の実施の形態に係る筆洗い器について説明する。
本発明の第２の実施の形態に係る筆洗い器は、洗い流し器の内容器を洗い流し器の外容器の内部の所定の低い位置に着脱自在に設置したものである。
この本発明の第２の実施の形態に係る筆洗い器については、第１の実施の形態に係る筆洗い器と同様に、段落番号（００２２）と段落番号（００２３）の図２，図３，図４の説明、段落番号（００２７）の図５の説明、段落番号（００２８）の図６の説明、段落番号（００２９）と段落番号（００３０）の図７の説明、及び段落番号（００３４）の図１１の説明等を参酌することにより明白となる。
【００３７】
そして次に本発明の第３の実施の形態に係る筆洗い器について説明する。
本発明の第３の実施の形態に係る筆洗い器は、洗い流し器の外容器の底部壁に設けた排出短管を保護し、そして洗い流し器の外容器を着座させる保持器を洗い流し器の外容器の底部に着脱自在に設置したものである。
この本発明の第３の実施の形態に係る筆洗い器については、段落番号（００２４）の図２，図３，図４の説明、段落番号（００３１）の図８の説明等を参酌することにより明白となる。
【００３８】
そして次に本発明の第４の実施の形態に係る筆洗い器について説明する。
本発明の第４の実施の形態に係る筆洗い器は、コの字形取手を、保持器の側壁に着脱自在に、しかも洗い流し器の外容器を跨ぐように取付けたものである。
この本発明の第４の実施の形態に係る筆洗い器については、段落番号（００２４）の図２，図３，図４の説明、段落番号（００３２）の図９の説明等を参酌することにより明白となる。
【００３９】
次に本発明の第５の実施の形態に係る筆洗い器について説明する。
本発明の第５の実施の形態に係る筆洗い器は、筆立台を洗い流し器の外容器の側壁の外側に着脱自在に取付けたものである。
この本発明の第５の実施の形態に係る筆洗い器については、段落番号（００２５）の図２，図３，図４の説明、段落番号（００３３）の図１０の説明等を参酌することにより明白となる。
【図面の簡単な説明】
【図１】本発明に係る筆洗い器の全部品を組立てて、筆洗い器全体を示す斜視図である。
【図２】本発明に係る筆洗い器の全部品を組立てて、洗い流し器の外容器の長辺の側壁側から見た洗い流し器の断面図を主体とする全体図である。
【図３】本発明に係る筆洗い器の全部品を組立てて、洗い流し器の外容器の短辺の側壁側から見た洗い流し器の断面図を主体とする全体図である。
【図４】本発明に係る筆洗い器の全部品を組立てて、筆洗い器全体を上方から見た平面図である。
【図５】本発明に係る筆洗い器の洗い流し器の内容器の投影図である。
【図６】本発明に係る筆洗い器の洗い流し器の外容器の投影図である。
【図７】本発明に係る筆洗い器の洗い流し器の断面図である。
【図８】本発明に係る筆洗い器の保持器の投影図である。
【図９】本発明に係る筆洗い器の取手の投影図である。
【図１０】本発明に係る筆洗い器の筆立台の投影図である。
【図１１】本発明に係る筆洗い器の洗い流し器を洗面所の流し器にセットしたときの説明図である。
【符号の説明】
１・・・円筒壁、２・・・上部円形口縁、３・・・底部壁、４・・・結合突起、５・・・外容器の長辺の側壁、６・・・外容器の短辺の側壁、７・・・外容器の上部方形口縁、８・・・結合突起部の受穴部、９・・・外容器の底部壁、１０・・・排出短管、１１・・・保持器の長辺の側壁、１２・・・保持器の短辺の側壁、１３・・・保持器の上部方形開口、１４・・・保持器の上部方形開口の段差部、１５・・・保持器の底部壁、１６・・・取手取付用突起、１７・・・立ち上がり部、１８・・・上部水平部、１９・・・取手取付片、２０・・・段差円形穴、２１、２２・・・筆挿入穴、２３・・・筆立台の直立壁、２４・・・筆立台の底部壁、２５・・・筆立台の水平頂部壁、２６・・・掛止めフック、２７，２８、２９・・・筆立用の穴
１００・・・内容器、
２００・・・外容器、
３００・・・保持器、
４００・・・取手、
５００・・・筆立台
【図１】
0003699073.tif 000002
【図２】
0003699073.tif 000003
【図３】
0003699073.tif 000004
【図４】
0003699073.tif 000005
【図５】
0003699073.tif 000006
【図６】
0003699073.tif 000007
【図７】
0003699073.tif 000008
【図８】
0003699073.tif 000009
【図９】
0003699073.tif 000010
【図１０】
0003699073.tif 000011
【図１１】
0003699073.tif 000012